(57)【要約】  本発明の一実施形態に従って、スロットアンテナは主スロット（210）及び１つ以上の補助スロット（212）を有する。アンテナに更なるインダクタンスを追加する１つ以上の補助スロットを付加することによって、アンテナの大きさが縮小される。さらに、補助スロットのインダクタンスを該スロットの長さを増大させるか該スロットの形状を変化させるかにより増大させることによって、アンテナの大きさが縮小される。アンテナは、補助スロットの１つ以上に結合された１つ以上のＭＥＭＳバラクタを有していてもよい。１つ以上のＭＥＭＳバラクタのキャパシタンスを所望の値に変化させることによって、スロットアンテナの共振周波数が所望の周波数に同調される。
2008523768.tif 000002
【特許請求の範囲】
【請求項１】
アンテナ層であり、該アンテナ層に形成された主スロット及び１つ以上の補助スロットを有し、スロットアンテナを形成するアンテナ層；及び
前記補助スロットの１つ以上に結合された１つ以上のバラクタであり、該バラクタの１つ以上のキャパシタンスの選択によって前記スロットアンテナを所望の周波数に同調させる１つ以上のバラクタ；
を有する装置。
【請求項２】
前記バラクタは微小電気機械システム構造である、請求項１に記載の装置。
【請求項３】
前記スロットアンテナは前記バラクタによって携帯通信システムのチャネルに同調される、請求項１に記載の装置。
【請求項４】
前記スロットアンテナは前記バラクタによって無線ローカルエリア通信システムのチャネルに同調される、請求項１に記載の装置。
【請求項５】
前記補助スロットの１つ以上は該補助スロットのインダクタンスを増大させるように折り畳まれている、請求項１に記載の装置。
【請求項６】
前記スロットアンテナは前記バラクタのより高いＱ値に基づいて、より高いＱ値を有する、請求項１に記載の装置。
【請求項７】
前記補助スロットのインダクタンスは前記バラクタのキャパシタンスと組み合わさって、前記スロットアンテナに狭帯域特性を与える、請求項１に記載の装置。
【請求項８】
前記バラクタの１つ以上は連続的に選択可能なキャパシタンスを有する、請求項１に記載の装置。
【請求項９】
前記バラクタの１つ以上は離散値の選択可能なキャパシタンスを有する、請求項１に記載の装置。
【請求項１０】
前記バラクタの１つ以上は、段階的に可変なキャパシタンスをもたらす選択可能なキャパシタのネットワークを有する、請求項１に記載の装置。
【請求項１１】
スロットアンテナを動作させる所望の周波数を決定する決定段階；
前記スロットアンテナの誘導性スロットに結合されたバラクタのキャパシタンスを選択することによって、前記スロットアンテナを前記決定段階にて決定された周波数に同調させるチューニング段階；及び
前記スロットアンテナを前記所望の周波数で動作させるオペレーティング段階；
を有する方法。
【請求項１２】
前記チューニング段階は、前記バラクタのキャパシタンスを変更することによって、前記アンテナのインダクタンスを変更することを含む、請求項１１に記載の方法。
【請求項１３】
前記チューニング段階は、前記スロットアンテナの共振周波数を高めるために、前記バラクタのキャパシタンスを増大させることを含む、請求項１１に記載の方法。
【請求項１４】
前記チューニング段階は、前記スロットアンテナの共振周波数を低くするために、前記バラクタのキャパシタンスを減少させることを含む、請求項１１に記載の方法。
【請求項１５】
ベースバンドの携帯電話情報を処理するベースバンド・プロセッサ；
前記ベースバンド・プロセッサに結合された送受信機；並びに
前記送受信機に結合されたスロットアンテナであり：
アンテナ層であり、該アンテナ層に形成された主スロット及び１つ以上の補助スロットを有し、当該スロットアンテナを形成するアンテナ層；及び
前記補助スロットの１つ以上に結合された１つ以上のバラクタであり、該バラクタの１つ以上のキャパシタンスの選択によって当該スロットアンテナを所望の周波数に同調させる１つ以上のバラクタ；
を有するスロットアンテナ；
を有する装置。
【請求項１６】
前記バラクタは微小電気機械システム構造である、請求項１５に記載の装置。
【請求項１７】
前記スロットアンテナは前記バラクタによって携帯通信システムのチャネルに同調される、請求項１５に記載の装置。
【請求項１８】
前記スロットアンテナは前記バラクタによって無線ローカルエリア通信システムのチャネルに同調される、請求項１５に記載の装置。
【請求項１９】
前記補助スロットの１つ以上は該補助スロットのインダクタンスを増大させるように折り畳まれている、請求項１５に記載の装置。
【請求項２０】
前記スロットアンテナは前記バラクタのより高いＱ値に基づいて、より高いＱ値を有する、請求項１５に記載の装置。
【請求項２１】
前記補助スロットのインダクタンスは前記バラクタのキャパシタンスと組み合わさって、前記スロットアンテナに狭帯域特性を与える、請求項１５に記載の装置。
【請求項２２】
前記バラクタの１つ以上は連続的に選択可能なキャパシタンスを有する、請求項１５に記載の装置。
【請求項２３】
前記バラクタの１つ以上は離散値の選択可能なキャパシタンスを有する、請求項１５に記載の装置。
【請求項２４】
前記バラクタの１つ以上は、段階的に可変なキャパシタンスをもたらす選択可能なキャパシタのネットワークを有する、請求項１５に記載の装置。
【発明の詳細な説明】
【技術分野】
【０００１】
本発明はスロットアンテナに関する。
【背景技術】
【０００２】
小型化されたアンテナは移動可能な無線通信機器、特に、例えば無線周波数通信システムを内蔵した携帯電話及び携帯情報端末などの手持ち式装置での使用に効果的である。小型スロットアンテナが設計されてきている。アンテナの大きさが縮小されると、それに従って帯域幅も狭くなる。その結果、手持ち式装置に適した大きさを有する小型アンテナは、その帯域幅が狭すぎて、手持ち式装置が使用するのに望ましい通信規格の通過帯域をカバーできないことになり得る。
【発明の開示】
【発明が解決しようとする課題】
【０００３】
本発明は、共振周波数同調用のＭＥＭＳバラクタを具備するスロットアンテナを提供することを目的とする。
【課題を解決するための手段】
【０００４】
本発明の一態様に従った装置は、アンテナ層であり、該アンテナ層に形成された主スロット及び１つ以上の補助スロットを有し、スロットアンテナを形成するアンテナ層；及び前記補助スロットの１つ以上に結合された１つ以上のバラクタであり、該バラクタの１つ以上のキャパシタンスの選択によって前記スロットアンテナを所望の周波数に同調させる１つ以上のバラクタ；を有する。
【０００５】
本発明の他の一態様に従った方法は、スロットアンテナを動作させる所望の周波数を決定する決定段階；前記スロットアンテナの誘導性スロットに結合されたバラクタのキャパシタンスを選択することによって、前記スロットアンテナを前記決定段階にて決定された周波数に同調させるチューニング段階；及び前記スロットアンテナを前記所望の周波数で動作させるオペレーティング段階；を有する。
【０００６】
本発明の他の一態様に従った装置は、ベースバンドの携帯電話情報を処理するベースバンド・プロセッサ；前記ベースバンド・プロセッサに結合された送受信機；並びに前記送受信機に結合されたスロットアンテナであり：アンテナ層であり、該アンテナ層に形成された主スロット及び１つ以上の補助スロットを有し、当該スロットアンテナを形成するアンテナ層；及び前記補助スロットの１つ以上に結合された１つ以上のバラクタであり、該バラクタの１つ以上のキャパシタンスの選択によって当該スロットアンテナを所望の周波数に同調させる１つ以上のバラクタ；を有するスロットアンテナ；を有する。
【０００７】
本発明は、構成及び動作方法の何れに関しても、その目的、特徴及び利点とともに、以下の詳細な説明を添付の図面とともに参照することにより十分に理解される。
【０００８】
図示の単純化及び明瞭化のため、図面に例示される要素は必ずしも縮尺通りには描かれていない。例えば、一部の要素の寸法は明瞭化のために他の要素に対して誇張されている。また、適当だと思われる場合には、図面間で対応する、あるいは類似する要素を指し示すために、参照符号が繰り返される。
【発明を実施するための最良の形態】
【０００９】
以下の詳細な説明においては、本発明の完全な理解を提供するために多数の具体的詳細事項が説明される。しかしながら、当業者に理解されるように、本発明はそれら具体的詳細事項を用いずに実施されてもよい。また、本発明を不明瞭にしないよう、周知の方法、手順、部品及び回路は詳細には説明されていない。
【００１０】
以下の記載、及び特許請求の範囲において、“結合され”及び“接続され”という用語がそれらの派生語とともに使用される。特定の実施形態において、“接続され”は、２つ以上の要素が互いに物理的又は電気的に直接的に接触していることを指し示すために使用されてもよい。“結合され”は、２つ以上の要素が物理的又は電気的に直接的に接触していることを意味してもよい。しかし、“結合され”は、２つ以上の要素が互いに直接的に接触していないが、なおも互いに協働又は相互作用することを意味してもよい。
【００１１】
本発明の実施形態が多様な用途で使用され得ることは理解されるべきである。ここで開示される回路は、例えば無線システムの送信機及び受信機においてなど、数多くの機器において使用され得る。本発明の範囲に含まれると意図される無線システムは、単に例として、無線ローカルエリアネットワーク（ＷＬＡＮ）装置及び無線広域ネットワーク（ＷＷＡＮ）装置を含み、これら装置は、無線ネットワークインターフェース装置及びネットワークインターフェースカード（ＮＩＣ）、基地局、アクセスポイント（ＡＰ）、ゲートウェイ、ブリッジ、ハブ、携帯無線電話通信システム、衛星通信システム、双方向無線通信システム、単方向ポケベル、双方向ポケベル、パーソナル通信システム（ＰＣＳ）、パーソナルコンピュータ（ＰＣ）、携帯情報端末（ＰＤＡ）等を含む。しかし、本発明の範囲は以上の点で限定されるものではない。
【００１２】
本発明の範囲に含まれると意図される無線通信システムの種類は、以下に限られないが、無線ローカルエリアネットワーク（ＷＬＡＮ）、無線広域ネットワーク（ＷＷＡＮ）、符号分割多重アクセス（ＣＤＭＡ）携帯無線電話通信システム、グローバルシステム・フォー・モバイルコミュニケーションズ（ＧＳＭ）携帯無線電話システム、北アメリカ・デジタル・セルラー（ＮＡＤＣ）携帯無線電話システム、時分割多重アクセス（ＴＤＭＡ）システム、拡張ＴＤＭＡ（Ｅ−ＴＤＭＡ）携帯無線電話システム、広帯域ＣＤＭＡ（ＷＣＤＭＡ）やＣＤＭＡ２０００のような第三世代提携プロジェクト（３ＧＰＰ又は３Ｇ）システム等を含む。しかし、本発明の範囲はこの点で限定されるものではない。
【００１３】
図１を参照して、本発明の１つ以上の実施形態に従った無線ローカルエリア又はセルラーネットワーク通信システムのブロック図について説明する。図１に示される通信システム100において、移動可能ユニット110は無線送受信機112を含んでおり、無線送受信機112は、ベースバンド及びメディアアクセス制御（ＭＡＣ）の処理機能を提供するプロセッサ114とアンテナ118とに結合されている。本発明の１つ以上の実施形態に従って、アンテナ118は、図２乃至４に示されて説明されるようなアンテナの共振周波数同調用のＭＥＭＳバラクタを有するスロットアンテナである。本発明の一実施形態においては、移動可能ユニット110は、携帯電話、又は、例えば携帯電話通信モジュールを内蔵した移動可能なパーソナルコンピュータ又は携帯情報端末などの情報処理システムとし得る。一実施形態におけるプロセッサ114は、単一のプロセッサから成っていてもよいし、その代わりに、ベースバンド・プロセッサとアプリケーション・プロセッサとから成っていてもよい。プロセッサ114はメモリ116に結合されており、メモリ116は例えばダイナミック・ランダムアクセスメモリ（ＤＲＡＭ）等の揮発性メモリ、例えばフラッシュメモリ等の不揮発性メモリを含んでいてもよいし、その代わりに、例えばハードディスクドライブ等の他種類の記憶装置を含んでいてもよい。メモリ116の一部又は全部はプロセッサ114と同一の集積回路に含まれていてもよいし、その代わりに、メモリ116の一部又は全部は、プロセッサ114の集積回路の外部にある集積回路、又は例えばハードディスクドライブといった他の媒体に配置されていてもよい。ただし、本発明の範囲は以上の点で限定されるものではない。
【００１４】
移動可能ユニット110は無線通信接続132を介してアクセスポイント122と通信する。ここで、アクセスポイント122は少なくとも１つのアンテナ120、送受信機124、プロセッサ126、及びメモリ128を含んでいる。一実施形態において、アクセスポイント122は携帯電話ネットワークの基地局であり、これに代わる一実施形態においては、アクセスポイント122は無線ローカルエリアネットワーク又は無線パーソナルエリアネットワークのアクセスポイント又は無線ルータである。他の一実施形態においては、アクセスポイント122及び場合により移動可能ユニット110は、２つ以上のアンテナを有していてもよく、例えば、空間分割多重アクセス（ＳＤＭＡ）システム又はマルチ入力マルチ出力（ＭＩＭＯ）システムを提供する。アクセスポイント122はネットワーク130と結合しており、その結果、移動可能ユニット110は無線通信接続132を介してアクセスポイント122と通信することによってネットワーク130（ネットワーク130に結合された装置を含む）と通信し得る。ネットワーク130は、例えば電話ネットワーク又はインターネット等の公共ネットワークを含んでいてもよく、他の例では、ネットワーク130は、例えばイントラネット等の私的ネットワーク、又は公共ネットワークと私的ネットワークとの結合を含んでいてもよい。移動式ユニット110とアクセスポイント122との間の通信は、例えばIEEE802.11a、IEEE802.11b、HiperLAN-II等のＩＥＥＥ規格に準拠したネットワークといった無線ローカルエリアネットワーク（ＷＬＡＮ）を介して実現されてもよい。他の一実施形態においては、移動可能ユニット110とアクセスポイント122と間の通信は、第三世代提携プロジェクト（３ＧＰＰ又は３Ｇ）規格に準拠した携帯通信ネットワークを介して少なくとも部分的に実現されてもよい。本発明の１つ以上の実施形態において、アンテナ118は無線センサネットワーク又は網型ネットワークにて使用されてもよい。ただし、本発明の範囲は以上の点で限定されるものではない。
【００１５】
次に図２を参照して、本発明の１つ以上の実施形態に従った、共振周波数同調用のＭＥＭＳバラクタを有するスロットアンテナの概略図について説明する。アンテナ118は、例えば金属などの導電性材料である平面層200から構築されたスロットアンテナとし得る。平面層200は、一般的に或る平面内にあるが、代わりに他の非平面の形態及び形状に構成されていてもよい。平面層200は、一般的に、アンテナ層と呼ばれている。平面層200は該平面層200上に形成された主（プライマリ）スロット210及び補助（セカンダリ）スロット212を有している。主スロット210及び補助スロット212は、双極子アンテナとして動作する半波長アンテナをもたらすように選定された寸法を有する放射体として機能し得る。アンテナ118にエネルギーが付与されると、電流が平面層200を通って流れ、主スロット210及び／又は補助スロット212の位置に電界ラインが作り出され、無線周波数エネルギーを放射するか受け取るかする。主スロット210に１つ又は複数の補助スロット212を付加することにより、アンテナ118のインダクタンスが増大され得る。本発明の一実施形態においては、より多数の補助スロット212を付加することによってアンテナ118の大きさが縮小される。また、例えば補助スロット212の長さを伸ばすなど、補助スロット212のインダクタンスを増大させることにより、あるいは、例えば補助スロット212に折り畳み形状若しくはコイル形状を設けるなど、補助スロット212の形状を選定することにより、アンテナ118の大きさは更に縮小され得る。別の方法で成形された補助スロットを有するアンテナの一例が図３に示されている。マイクロストリップ給電線214がアンテナ118を、例えば送受信機などの無線周波数回路に結合させている。ただし、本発明の範囲は以上の点で限定されるものではない。
【００１６】
より小型のアンテナ118を構築することにより、アンテナ118は１つ以上の補助スロット212に結合する１つ以上のバラクタ216を使用して選択的に同調されてもよい。本発明の一実施形態においては、補助スロット212の１つがバラクタ216を含み、本発明の他の一実施形態においては、２つ以上の補助スロット212が１つ以上のバラクタ216を含み、更に他の一実施形態においては、補助スロット212の全て又は殆どが１つ以上のバラクタ216を含む。さらに、１つ以上の他の実施形態においては、補助スロット212内のバラクタ216の代わりに、あるいは補助スロット212内の１つ以上のバラクタ216と組み合わせて、主スロット210に必要に応じて１つ以上のバラクタ216が含められてもよい。バラクタは、一般に、可変あるいは選択可能なキャパシタンスを有する可変キャパシタのことである。本発明の一実施形態においては、バラクタ216は、例えば図４に示されるような微小電気機械システム（ＭＥＭＳ）に基づくバラクタであってもよく、本発明の他の一実施形態においては、バラクタ216はバラクタダイオードを含んでいてもよい。１つ以上の補助スロット212のインダクタンスを低減させ、且つ１つ以上の所望周波数におけるアンテナ118のインダクタンスを低減させるように、補助スロット212の１つ以上に或るキャパシタンス値が与えられてもよい。１つ以上のバラクタ216のキャパシタンスは、１つ以上の補助スロット212のインダクタンス又はアンテナ118のインダクタンスと組み合わさって、１つ以上のバラクタ216を選択的に作動させることにより、あるいは１つ以上のバラクタ216のキャパシタンス値をアンテナ118の共振周波数をアンテナ118の所望の動作周波数に同調させるキャパシタンスに選択的に設定することにより、アンテナ118の共振周波数を選択的に同調するために使用され得る共振回路を提供する。例えば、選択されたキャパシタンスの値が増大されるとき、アンテナ118のインダクタンスは低減されてもよく、アンテナ118の共振周波数が所望の動作周波数まで増大され得る。ただし、本発明の範囲は以上の点で限定されるものではない。
【００１７】
本発明の一実施形態においては、図１に示された通信システム100等の携帯通信システムの通過帯域は、例えば、各チャネルが数kHz程度の帯域を有する、１つ以上のチャネルに分割されてもよい。アンテナ118の共振はバラクタ216によって所望のチャネルに同調されてもよく、アンテナ118は所望のチャネルに同調された共振周波数を有し得る。バラクタ216がＭＥＭＳバラクタである場合、バラクタ216のＱ係数が比較的高くなるとともにアンテナ118の損失が比較的低くなり、比較的高いノイズ除去特性を提供するアンテナ118の狭帯域動作モードをもたらす。別のチャネルで動作することが望まれるときには、アンテナ118を該別のチャネルに同調させるようにバラクタ216のキャパシタンスを変化させることによって、アンテナ118の共振周波数が選択される。ただし、本発明の範囲は以上の点で限定されるものではない。
【００１８】
次に図３を参照して、本発明の１つ以上の実施形態に従ったＭＥＭＳバラクタを有する他のスロットアンテナを示す概略図を説明する。図３に示されるように、補助スロット212は図２に示された補助スロット212より長い長さを有するように構築されている。このような構成においては、補助スロット212当たりのインダクタンスが大きくなり、アンテナ118の大きさの更なる縮小が可能にされる。本発明の特定の一実施形態においては、補助スロット212は更に、例えば、補助スロット212のコイル状又は折り畳み構造によりもたらされる補助スロット212の自己インダクタンスの増大の結果として、補助スロット212当たりのインダクタンスを増大させるようにコイル状にされてもよい。図２に関して説明されたように、アンテナ118の共振周波数を所望の周波数又はチャネルに選択的に同調させるため、１つ以上の補助スロット212に１つ以上のバラクタ216が結合されてもよい。更に、１つ以上の他の実施形態においては、補助スロット212内のバラクタ216の代わりに、あるいは補助スロット212内の１つ以上のバラクタ216と組み合わせて、主スロット210に必要に応じて１つ以上のバラクタ216が含められてもよい。ただし、本発明の範囲は以上の点で限定されるものではない。
【００１９】
次に図４Ａ、４Ｂ及び４Ｃを参照して、本発明の１つ以上の実施形態に従ったスロットアンテナでの使用に適したＭＥＭＳバラクタを示す概略図について説明する。図４Ａ、４Ｂ及び４Ｃに示されるように、バラクタ216は、該バラクタ216の作動によって制御可能又は選択可能なキャパシタンスをもたらすＭＥＭＳ構造として構築され得る。バラクタ216の上面図が400に示され、待機状態410にあるバラクタ216の等角図が402に示され、そして作動状態412にあるバラクタ216の等角図が404に示されている。バラクタ216は、例えば待機状態410にて平面414の上方に浮かされたプレート418等の、ＭＥＭＳ構造とし得る。待機状態410にある間、バラクタ216のキャパシタンス値は、より小さい値のキャパシタンス、又は実効的に０の値のキャパシタンスである。選択され、あるいは作動状態412に作動されると、プレート418は平面414に近付くようにゆがめられ、結果としてプレート418と平面414との間のキャパシタンス値を提供する。より近くプレート418が平面414に向けてゆがめられるほど、より大きいキャパシタンス値がバラクタ216によって提供されるが、本発明の範囲はこの点で限定されるものではない。図４Ａ、４Ｂ及び４Ｃに示される１つ以上のバラクタ216は、例えば米国特許第６５９３６７２号明細書に記載されているように、より大きい総キャパシタンスを１つ以上のバラクタ216の選択作動によって提供するように結合されてもよいが、本発明の範囲はこの点で限定されるものではない。なお、この米国特許明細書はその全体がここに取り込まれる。本発明の１つ以上の実施形態においては、バラクタ216の１つ以上は、米国特許第６３５５５３４号明細書に記載されているような可変同調範囲キャパシタであってもよい。なお、この米国特許明細書はその全体がここに取り込まれる。本発明の１つ以上の実施形態においては、アンテナ118の共振周波数を所望の動作周波数にロックさせるようにバラクタ216の１つ以上のキャパシタンス値を設定するため、バラクタ216の１つ以上に位相ロックループ回路（図示せず）が結合されてもよい。ただし、本発明の範囲はこの点で限定されるものではない。
【００２０】
次に図５を参照して、本発明の１つ以上の実施形態に従った、ＭＥＭＳバラクタを有する一般的な場合のスロットアンテナを示す概略図について説明する。一般的な場合のアンテナ118の平面層200は、任意形状の主スロット210を含んでおり、また、やはり任意形状を有する１つ又は複数の補助スロット212を含んでいる。携帯通信の通過帯域は、例えば、各チャネルが数kHz程度の帯域を有する、幾つかのチャネルに分割されてもよい。通常は広帯域アンテナであるものを、所望のチャネルに同調された時に狭帯域アンテナとして動作させるように、アンテナ118の共振周波数は通過帯域内の所望のチャネルに同調され得る。１つ以上のバラクタ216はアンテナ118のスロット210又は212に配置されてもよく、所望のチャネルへのアンテナ118の共振周波数の同調を提供し得る。一般的な場合、スロット210及び212の１つ以上は任意形状を有していてもよい。バラクタ216の１つ以上はアンテナの実効的なインダクタンスを選択的に低減するために使用され得る。アンテナ118の共振周波数はバラクタのキャパシタンスを変化させることによって同調され得るが、本発明の範囲はこの点で限定されるものではない。
【００２１】
本発明の実施形態について或る程度の具体性をもって説明してきたが、それらの構成要素は当業者によって本発明の意図及び範囲を逸脱することなく改変され得るものであることは認識されるべきである。本発明に係る共振周波数同調用のＭＥＭＳバラクタを有するスロットアンテナ、及びそれに付随する利点の多くが以上の説明によって理解されるであろう。また、ここで説明された形態は単なる説明目的の実施形態であり、本発明の構成要素の形態、構造、及び配置には、本発明の意図及び範囲を逸脱することなく、あるいはその部材の利点の全てを犠牲にすることなく、更には実質的な変化をもたらすことなく、様々な変更が為され得ることは明らかであろう。請求項はこのような変更を包含するものである。
【図面の簡単な説明】
【００２２】
【図１】本発明の１つ以上の実施形態に従った無線ローカルエリア又はセルラーネットワーク通信システムを示すブロック図である。
【図２】本発明の１つ以上の実施形態に従った、共振周波数同調用のＭＥＭＳバラクタを有するスロットアンテナを示す概略図である。
【図３】本発明の１つ以上の実施形態に従ったＭＥＭＳバラクタを有する他のスロットアンテナを示す概略図である。
【図４Ａ】本発明の１つ以上の実施形態に従ったスロットアンテナでの使用に適したＭＥＭＳバラクタを示す概略図である。
【図４Ｂ】本発明の１つ以上の実施形態に従ったスロットアンテナでの使用に適したＭＥＭＳバラクタを示す概略図である。
【図４Ｃ】本発明の１つ以上の実施形態に従ったスロットアンテナでの使用に適したＭＥＭＳバラクタを示す概略図である。
【図５】本発明の１つ以上の実施形態に従った、ＭＥＭＳバラクタを有する一般的な場合のスロットアンテナを示す概略図である。
【図１】
2008523768.tif 000003
【図２】
2008523768.tif 000004
【図３】
2008523768.tif 000005
【図４Ａ】
2008523768.tif 000006
【図４Ｂ】
2008523768.tif 000007
【図４Ｃ】
2008523768.tif 000008
【図５】
2008523768.tif 000009
【国際調査報告】
2008523768.tif 000010
2008523768.tif 000011
2008523768.tif 000012